(57)【要約】【課題】コンサート等のリアルタイムイベントにおいて、決められた時刻に演奏が開始されリアルタイムに配信されるライブ曲を、最初から確実に再生できるカラオケ装置、カラオケシステム、及びライブ曲再生プログラムを提供する。【解決手段】カラオケ装置７は、次に再生予定のカラオケ曲の再生時間情報と、配信サーバ１０３から配信されるライブ曲の演奏開始時刻情報と、現在時刻の情報と、に基づいて、カラオケ曲の再生中にライブ曲の演奏開始時刻になるか否かを判定し、カラオケ曲の再生中にライブ曲の演奏開始時刻になる場合には、ライブ曲の演奏開始時刻までに演奏するカラオケ曲の曲順または演奏態様を変更するとともに、ＬＡＮインタフェース２４にライブ曲の演奏データを受信させて、サウンドシステム１５に演奏開始時刻からライブ曲を再生させる。したがって、カラオケ曲が複数予約されている場合でも、ライブ曲を演奏開始時刻から確実に再生できる。【選択図】図１
2008116719.tif 000002
【特許請求の範囲】
【請求項１】
カラオケ曲の演奏データ、再生時間情報を含むカラオケ曲の楽曲情報、及び演奏開始時刻が予め設定され、配信サーバからリアルタイムに配信される生演奏の曲であるライブ曲の演奏開始時刻情報を含むライブ曲情報を記憶する楽曲記憶手段と、
カラオケ曲の予約及びライブ曲の予約を受け付ける操作手段と、
前記操作手段が受け付けた予約順情報を含むカラオケ曲の予約リスト及びライブ曲の予約リストを記憶するリスト記憶手段と、
前記配信サーバから配信されるライブ曲の演奏データを受信する通信手段と、
現在時刻を計時する計時手段と、
前記予約リストに基づいてカラオケ曲及びライブ曲を再生する再生手段と、
前記予約リストのカラオケ曲の再生時間情報と、前記予約リストのライブ曲の演奏開始時刻情報と、現在時刻の情報と、に基づいて、カラオケ曲の再生中にライブ曲の演奏開始時刻になるか否かを判定し、カラオケ曲の再生中にライブ曲の演奏開始時刻になる場合には、ライブ曲の演奏開始時刻までに演奏するカラオケ曲の曲順または演奏態様を変更するとともに、前記通信手段にライブ曲の演奏データを受信させて、前記再生手段に演奏開始時刻からライブ曲を再生させる制御手段と、
を備えたことを特徴とするカラオケ装置。
【請求項２】
情報を表示する表示手段を備え、
前記制御手段は、前記カラオケ曲の予約リストにおけるカラオケ曲の楽曲情報と、前記ライブ曲の予約リストにおけるライブ曲のライブ曲情報と、現在時刻の情報と、に基づいて、ライブ曲の演奏開始時刻までに演奏するカラオケ曲の曲順または演奏態様の変更案を作成して前記表示手段に表示させ、前記操作手段が変更案の選択操作を受け付けると、選択された変更案を実行する請求項１に記載のカラオケ装置。
【請求項３】
前記通信手段は、ライブ曲の再生開始時刻が変更される際に、前記配信サーバから配信されるライブ曲の再生開始時刻の変更情報を受信し、
前記制御手段は、前記通信手段が前記変更情報を受信すると、前記変更情報に基づいて前記楽曲記憶手段が記憶するライブ曲情報を更新し、前記予約リストのカラオケ曲の再生時間情報と、前記予約リストのライブ曲の再生開始時刻の変更情報と、現在時刻の情報と、に基づいてライブ曲の演奏開始時刻までに行う新たな変更案を作成する請求項２に記載のカラオケ装置。
【請求項４】
演奏者が生演奏するライブ曲の曲名、その演奏者名、及び演奏開始時刻を含むライブ曲情報、及びライブ曲の演奏開始時刻が変更された際の変更情報の入力を受け付ける入力手段、
及びマイクロフォンで収音した音声データ、楽器から出力された音声データを含むライブ曲の演奏データ、前記ライブ曲情報、及び前記変更情報を送信する通信手段、を備えた配信サーバと、
請求項１乃至３のいずれかに記載のカラオケ装置と、
を含むカラオケシステム。
【請求項５】
カラオケ曲の演奏データ、再生時間情報を含むカラオケ曲の楽曲情報、を記憶する楽曲記憶手段と、
カラオケ曲の予約を受け付ける操作手段と、
前記操作手段が受け付けた予約順情報を含むカラオケ曲の予約リストを記憶するリスト記憶手段と、
配信サーバから配信されるカラオケ曲の演奏データを受信する通信手段と、
現在時刻を計時する計時手段と、
前記予約リストに基づいてカラオケ曲を再生する再生手段と、
上記各手段を制御し、
前記操作手段が受け付けたカラオケ曲の予約操作に基づいて、カラオケ曲の予約リストを作成する機能、
前記カラオケ曲の予約リストを、前記リスト記憶手段に記憶させる機能、
前記カラオケ曲の予約リストに基づいて、前記楽曲記憶手段が記憶するカラオケ曲の演奏データを、前記カラオケ装置の再生手段に読み出し及び再生させる機能を有する制御手段と、
を備えたカラオケ装置に、
演奏開始時刻が予め設定され、配信サーバからリアルタイムに配信される生演奏の曲であるライブ曲の演奏開始時刻情報を含むライブ曲情報を前記楽曲記憶手段に記憶させる機能、
前記操作手段が受け付けたライブ曲の予約操作に基づいて、ライブ曲の予約リストを作成する機能、
前記ライブ曲の予約リストを、前記リスト記憶手段に記憶させる機能、
カラオケ曲の再生中に予約リストのライブ曲の演奏開始時刻になるか否かを判定する機能、
前記カラオケ曲の再生中に前記ライブ曲の演奏開始時刻になる場合には、前記ライブ曲の演奏開始時刻までに演奏するカラオケ曲の曲順または演奏態様を変更するとともに、前記通信手段に前記ライブ曲の演奏データを受信させて、前記再生手段に演奏開始時刻からライブ曲を再生させる機能、
を実現させるためのライブ曲再生プログラム。
【発明の詳細な説明】
【技術分野】
【０００１】
この発明は、コンサート等のリアルタイムイベントにおいて、決まった時刻に演奏が開始されリアルタイムに配信されるライブ曲を再生するカラオケ装置、カラオケシステム、及びライブ曲再生プログラムに関する。
【背景技術】
【０００２】
従来、予約された順にカラオケ曲を演奏し、カラオケ曲の予約をする際には、歌い手が予約しようとしたカラオケ曲の予約状況をリモコン装置の表示画面で確認できるとともに、一旦、確認した後も、常に最新の予約状況を表示することができるカラオケ予約システムがあった（例えば、特許文献１参照。）。
【特許文献１】特開２００５−２７５３０８号公報
【発明の開示】
【発明が解決しようとする課題】
【０００３】
発明者らは、コンサート等のリアルタイムイベントにおいて生演奏される楽曲（以下、ライブ曲と称する。）をカラオケ装置に配信し、客がこのライブ曲にあわせて歌うことのできるリアルタイムイベント型コンテンツの提供を検討している。ライブ曲は生演奏なので、カラオケ装置へのリアルタイム配信は１回限りとなる。また、客は、カラオケ装置でライブ曲を予約すると、カラオケ装置の設置場所で、コンサート会場の歌手と一緒に歌唱したり、コンサート会場の演奏者の演奏で歌唱したりすることができる。このような形態のカラオケはこれまでなく、客にとって非常に付加価値の高いコンテンツとなる。そのため、カラオケ装置でライブ曲が予約されると、通常のカラオケ曲（以下、単にカラオケ曲と称する。）よりも優先的に再生させる予定である。
【０００４】
コンサートで演奏する曲目や各曲の演奏開始時刻の予定は、事前に決められている。また、各曲の演奏開始時刻は、コンサートの進行状況によりずれることがある。そのため、コンサート等で生演奏される曲をカラオケ装置にライブ曲として配信する際には、定刻から演奏されるライブ曲を予約済みの複数のカラオケ曲の途中に割り込ませて、カラオケ曲を再生する順番や演奏態様を調整する必要がある。また、ライブ曲の演奏開始時刻がずれた場合でもライブ曲を最初から確実に再生するように、その演奏開始時刻がずれに応じてカラオケ曲の再生順を調整する必要がある。
【０００５】
しかしながら、従来のカラオケ予約システムでは、最新の予約状況を予約端末上で確認できるが、上記のようなリアルタイムイベント型のコンテンツには対応していなかった。
【０００６】
そこで、この発明は、コンサート等のリアルタイムイベントにおいて、決められた時刻に演奏が開始されリアルタイムに配信されるライブ曲を、最初から確実に再生できるカラオケ装置、カラオケシステム、及びライブ曲再生プログラムを提供することを目的とする。
【課題を解決するための手段】
【０００７】
（１）カラオケ曲の演奏データ、再生時間情報を含むカラオケ曲の楽曲情報、及び演奏開始時刻が予め設定され、配信サーバからリアルタイムに配信される生演奏の曲であるライブ曲の演奏開始時刻情報を含むライブ曲情報を記憶する楽曲記憶手段と、
カラオケ曲の予約及びライブ曲の予約を受け付ける操作手段と、
前記操作手段が受け付けた予約順情報を含むカラオケ曲の予約リスト及びライブ曲の予約リストを記憶するリスト記憶手段と、
前記配信サーバから配信されるライブ曲の演奏データを受信する通信手段と、
現在時刻を計時する計時手段と、
前記予約リストに基づいてカラオケ曲及びライブ曲を再生する再生手段と、
前記予約リストのカラオケ曲の再生時間情報と、前記予約リストのライブ曲の演奏開始時刻情報と、現在時刻の情報と、に基づいて、カラオケ曲の再生中にライブ曲の演奏開始時刻になるか否かを判定し、カラオケ曲の再生中にライブ曲の演奏開始時刻になる場合には、ライブ曲の演奏開始時刻までに演奏するカラオケ曲の曲順または演奏態様を変更するとともに、前記通信手段にライブ曲の演奏データを受信させて、前記再生手段に演奏開始時刻からライブ曲を再生させる制御手段と、
を備えたことを特徴とする。
【０００８】
この構成においては、カラオケ装置は、カラオケ曲の再生時間情報と、ライブ曲の演奏開始時刻情報と、現在時刻の情報と、に基づいて、予約されたカラオケ曲の再生中に予約されているライブ曲の演奏開始時刻になるか否かを判定し、カラオケ曲の再生中にライブ曲の演奏開始時刻になる場合には、このライブ曲の演奏開始時刻までに演奏する予約済みのカラオケ曲の曲順または演奏態様を変更するとともに、予約されているライブ曲の演奏データを通信手段に受信させて、再生手段に演奏開始時刻からこのライブ曲を再生させる。したがって、カラオケ曲が複数予約されている場合でも、カラオケ曲の曲順を入れ替えるか、ライブ曲の演奏開始時刻直前にカラオケ曲の再生を停止することで、演奏開始時刻が予め設定された予約済みのライブ曲を、演奏開始時刻から確実に再生することができる。これにより、カラオケ客に、これまでにない満足感を感じてもらうことができる。
【０００９】
（２）情報を表示する表示手段を備え、
前記制御手段は、前記カラオケ曲の予約リストにおけるカラオケ曲の楽曲情報と、前記ライブ曲の予約リストにおけるライブ曲のライブ曲情報と、現在時刻の情報と、に基づいて、ライブ曲の演奏開始時刻までに演奏するカラオケ曲の曲順または演奏態様の変更案を作成して前記表示手段に表示させ、前記操作手段が変更案の選択操作を受け付けると、選択された変更案を実行することを特徴とする。
【００１０】
この構成においては、予約されたカラオケ曲の楽曲情報と予約されたライブ曲のライブ曲情報と現在時刻の情報とに基づいて、ライブ曲の演奏開始時刻までに演奏するカラオケ曲の曲順または演奏態様の変更案を作成して前記表示手段に表示させ、前記操作手段が変更案の選択操作を受け付けると、選択された変更案を実行する。したがって、予約されているライブ曲の再生開始時刻までに行う処理案を客に対して提示して、客が選択した処理案を実行するので、ライブ曲を再生開始時刻から確実に再生できるとともに、ライブ曲の再生開始時刻までの間には、客が納得する処理を行うことができる。
【００１１】
（３）前記通信手段は、ライブ曲の再生開始時刻が変更される際に、前記配信サーバから配信されるライブ曲の再生開始時刻の変更情報を受信し、
前記制御手段は、前記通信手段が前記変更情報を受信すると、前記変更情報に基づいて前記楽曲記憶手段が記憶するライブ曲情報を更新し、前記予約リストのカラオケ曲の再生時間情報と、前記予約リストのライブ曲の再生開始時刻の変更情報と、現在時刻の情報と、に基づいてライブ曲の演奏開始時刻までに行う新たな変更案を作成することを特徴とする。
【００１２】
この構成においては、ライブ曲の再生開始時刻が変更される際に、配信サーバから配信されるライブ曲の再生開始時刻の変更情報を受信し、制御手段は、通信手段が変更情報を受信すると、変更情報に基づいて楽曲記憶手段が記憶するライブ曲のライブ曲情報を更新し、予約されたカラオケ曲の再生時間情報と、予約されたライブ曲の再生開始時刻の変更情報と、現在時刻の情報と、に基づいてライブ曲の演奏開始時刻までに行う新たな変更案を作成する。したがって、ライブ曲の再生開始時刻が変更された場合には、変更情報が通知されるので、この変更情報に基づいてカラオケ曲の再生順を調整して、予約されているライブ曲の再生開始時刻から確実に再生することができる。
【００１３】
（４）演奏者が生演奏するライブ曲の曲名、その演奏者名、及び演奏開始時刻を含むライブ曲情報、及びライブ曲の演奏開始時刻が変更された際の変更情報の入力を受け付ける入力手段、
及びマイクロフォンで収音した音声データ、楽器から出力された音声データを含むライブ曲の演奏データ、前記ライブ曲情報、及び前記変更情報を送信する通信手段、を備えた配信サーバと、
（１）乃至（３）のいずれかに記載のカラオケ装置と、
を含むことを特徴とする。
【００１４】
この構成においては、配信サーバからライブ曲のライブ曲情報や変更情報や演奏データが送信され、カラオケ装置でこれらの情報やデータを受信できる。したがって、カラオケ装置でライブ曲を再生できるとともに、ライブ曲の再生開始時刻が変更されても、その変更に応じて予約されているカラオケ曲の再生順を変更して、予約されているライブ曲を再生開始時刻から再生することが可能となる。
【００１５】
（５）カラオケ曲の演奏データ、再生時間情報を含むカラオケ曲の楽曲情報、を記憶する楽曲記憶手段と、
カラオケ曲の予約を受け付ける操作手段と、
前記操作手段が受け付けた予約順情報を含むカラオケ曲の予約リストを記憶するリスト記憶手段と、
配信サーバから配信されるカラオケ曲の演奏データを受信する通信手段と、
現在時刻を計時する計時手段と、
前記予約リストに基づいてカラオケ曲を再生する再生手段と、
上記各手段を制御し、
前記操作手段が受け付けたカラオケ曲の予約操作に基づいて、カラオケ曲の予約リストを作成する機能、
前記カラオケ曲の予約リストを、前記リスト記憶手段に記憶させる機能、
前記カラオケ曲の予約リストに基づいて、前記楽曲記憶手段が記憶するカラオケ曲の演奏データを、前記カラオケ装置の再生手段に読み出し及び再生させる機能を有する制御手段と、
を備えたカラオケ装置に、
演奏開始時刻が予め設定され、配信サーバからリアルタイムに配信される生演奏の曲であるライブ曲の演奏開始時刻情報を含む楽曲情報を前記楽曲記憶手段に記憶させる機能、
前記操作手段が受け付けたライブ曲の予約操作に基づいて、ライブ曲の予約リストを作成する機能、
前記ライブ曲の予約リストを、前記リスト記憶手段に記憶させる機能、
カラオケ曲の再生中に予約リストのライブ曲の演奏開始時刻になるか否かを判定する機能、
前記カラオケ曲の再生中に前記ライブ曲の演奏開始時刻になる場合には、前記ライブ曲の演奏開始時刻までに演奏するカラオケ曲の曲順または演奏態様を変更するとともに、前記通信手段に前記ライブ曲の演奏データを受信させて、前記再生手段に演奏開始時刻からライブ曲を再生させる機能、
を実現させることを特徴とする。
【００１６】
この構成においては、従来のカラオケ装置にライブ曲再生プログラムを実行させることで、カラオケ曲の再生だけでなく、配信サーバから配信されるライブ曲を演奏開始時刻から再生することが可能となる。したがって、従来のカラオケ装置に対して、ライブ曲を演奏開始時刻から再生という新たな機能を追加することが可能となる。
【発明の効果】
【００１７】
この発明によれば、カラオケ曲が複数予約されている場合でも、演奏開始時刻が予め設定されたライブ曲を、演奏開始時刻から確実に再生することができる。また、ライブ曲の再生開始時刻までに行う処理案を客に対して提示して、客が選択した処理案を実行するので、ライブ曲を再生開始時刻から確実に再生できるとともに、ライブ曲の再生開始時刻までの間には、客が納得する処理を行うことができる。さらに、ライブ曲の再生開始時刻が変更された場合には、変更情報が通知されるので、この変更情報に基づいてカラオケ曲の再生順を調整して、ライブ曲の再生開始時刻から確実に再生することができる。これにより、カラオケ客に、これまでにない満足感を感じてもらうことができる。
【発明を実施するための最良の形態】
【００１８】
図１は、カラオケシステムの概略の構成図である。図２は、カラオケ曲の楽曲情報及びライブ曲のライブ曲情報の構成図である。カラオケシステム１において、カラオケ店舗３には、カラオケ装置７、及びカラオケ装置７を操作したりカラオケ曲等の情報を表示したりする無線端末装置９が複数台設置されている。ここで、無線端末装置９は、カラオケ装置７が有する機能の幾つかを単体で実現することができ、カラオケ装置７と無線端末装置９を１つのカラオケ装置として見做すことが可能である。
【００１９】
カラオケ店舗３には、店舗内の（有線）ＬＡＮ５を介してルータ４、管理装置６、複数台のカラオケ装置７、及び複数台の無線アクセスポイント８が接続されており、無線アクセスポイント８を介した無線通信によって無線端末装置９がＬＡＮ５に接続されている。
【００２０】
ルータ４及び管理装置６は、カラオケ店舗の管理室内に設置される。複数台のカラオケ装置７は、それぞれ個室（カラオケボックス）に１台ずつ設置される。また、無線端末装置９は、各個室に１台乃至複数台が設置される。
【００２１】
無線端末装置９は、ユーザがカラオケ曲をリクエスト（予約）するための予約機能、ユーザがカラオケ曲の一部を簡易に試聴するための試聴機能、カラオケ装置７によるカラオケ曲の演奏中にそのカラオケ曲の歌詞を表示する歌詞表示機能、ユーザのＩＤカードを読み取ってそのユーザをサーバにログインさせるログイン機能等、複数の機能を有している。
【００２２】
各個室に設置された無線端末装置９は、ペアリング操作により、その個室に設置されているカラオケ装置７と対応づけられる。
【００２３】
ここで、ペアリングとは、互いにＬＡＮ５に接続される複数台のカラオケ装置７と複数台の無線端末装置９を、それぞれ個別に対応づける動作である。ペアリング処理は、無線端末装置９を個室に持ち込み、その個室に設置されているカラオケ装置７の子機として使用しようとする場合に、係員によって行われる。
【００２４】
無線端末装置９とカラオケ装置７とが対応づけられると、ユーザがその無線端末装置９を操作して行ったリクエストは、ＬＡＮ５経由で対応づけられたカラオケ装置７に送信される。対応づけられたカラオケ装置７は、受信したリクエストのカラオケ曲を演奏する。また、無線端末装置９が歌詞表示をオンに設定していると、カラオケ装置７は、カラオケ曲を演奏するとき、そのカラオケ曲を演奏するための演奏データから歌詞を表示するための歌詞データを抽出して無線端末装置９に送信する。無線端末装置９は、この歌詞データをカラオケ装置７によるカラオケ曲演奏と同期してディスプレイに表示する。
【００２５】
一方、ルータ４は、インターネット２を介してセンタ１０１と接続されている。センタ１０１は、カラオケ曲の演奏データ・楽曲情報や、顧客データ等を蓄積・記憶している。また、センタ１０１及びルータ４は、コンサート会場に設置された配信サーバ１０３と、インターネット２を介して接続されている。また、配信サーバ１０３には、コンサート会場で歌手の歌声や楽器の音声をミキシングするミキサ装置１０５が接続されている。
【００２６】
ここで、カラオケ曲の楽曲情報は、具体的には、図２（Ａ）に示すように、カラオケ曲の曲名、その歌手（演奏者）名、演奏時間、予約コード等を含む情報である。
【００２７】
各カラオケ装置７及び無線端末装置９は、ＬＡＮ５、ルータ４及びインターネット２を介してセンタ１０１にアクセスし、カラオケ曲の演奏データ・楽曲情報のダウンロードや、顧客データのダウンロード（顧客のログイン）等の通信を行う。
【００２８】
管理装置６は、このカラオケ店舗３の係員が操作する端末装置であり、各カラオケ装置７（個室）の利用時間の管理や、無線端末装置９等を利用した飲食物やチケット等の注文を受け付ける。
【００２９】
配信サーバ１０３は、演奏開始時刻が予め設定され、リアルタイムに配信される生演奏曲であるライブ曲の演奏データや、このライブ曲の楽曲情報であるライブ曲情報等を、コンサート会場からカラオケ店舗３のカラオケ装置７や無線端末装置９に配信する。
【００３０】
ここで、ライブ曲情報は、具体的には、図２（Ｂ）に示すように、演奏者が生演奏するライブ曲の曲名、その歌手（演奏者）名、演奏開始時刻、演奏時間、及び予約コードを含む情報である。
【００３１】
図３は、各個室に設置されるカラオケ装置のブロック図である。カラオケ装置７は、装置全体の動作を制御するＣＰＵ１０と、このＣＰＵ１０に接続された各種機器で構成されている。ＣＰＵ１０には、ハードディスク（ＨＤＤ）１１、ＲＡＭ１２、音源１３、ミキサ（エフェクタ）１４、ＭＰＥＧデコーダ２０、合成回路２１、操作部２３、ＬＡＮインタフェース２４、赤外線通信部２５等が接続されている。
【００３２】
ハードディスク１１は、カラオケ曲を演奏するための演奏データやカラオケ曲の楽曲情報、ライブ曲情報、及びモニタ２２に背景映像として表示するための映像データなどを記憶している。映像データは動画、静止画の両方を記憶している。ＲＡＭ１２には、プログラムを実行するために読み出すエリアやカラオケ曲を演奏するために演奏データを読み出すエリアなどが設定される。また、ＲＡＭ１２には、後述するカラオケ曲予約リストＬ１・ライブ曲予約リストＬ２が格納される。
【００３３】
ＣＰＵ１０は、ハードディスク１１に記憶されているプログラムに基づいて、シーケンサ３０、背景映像再生処理３３、無線端末制御処理３４及び操作入力処理等の処理を実行する。シーケンサ３０は、曲シーケンサ３１及び歌詞シーケンサ３２からなっている。
【００３４】
曲シーケンサ３１は、ハードディスク１１に記憶されている演奏データに基づいてカラオケ曲の演奏を実行するプログラムである。曲シーケンサ３１は、演奏データの楽音トラックやガイドメロディトラック等のデータに基づいて音源１３を制御し、カラオケ曲の楽音を発生する。また、歌詞シーケンサ３２は、カラオケ曲の演奏データに基づいてモニタ２２に歌詞テロップを表示するためのプログラムである。歌詞シーケンサ３２は、演奏データのうち歌詞トラックに基づいて曲の進行に同期して歌詞の文字パターンを合成し、この文字パターンを映像信号に変換して合成回路２１に入力する。
【００３５】
音源１３は、曲シーケンサ３１の処理によってＣＰＵ１０から入力されたデータ（楽音トラックやガイドメロディトラックのノートイベントデータ）に応じて楽音信号を形成する。形成した楽音信号はミキサ１４に入力される。ミキサ１４は、音源１３が発生した複数の楽音信号、及び、マイクロフォン１７−Ａ／Ｄコンバータ１８を介して入力された歌唱者の歌唱音声信号に対してエコーなどの効果を付与するとともに、これらの信号を適当なバランスでミキシングする。ミキシングされたデジタルの音声信号はサウンドシステム１５に入力される。サウンドシステム１５はＤ／Ａコンバータ及びパワーアンプを備えており、入力されたデジタル信号をアナログ信号に変換して増幅し、スピーカ１６から放音する。ミキサ１４が各音声信号に付与する効果及びミキシングのバランスはＣＰＵ１０によって制御される。
【００３６】
背景映像再生処理３３は、上記シーケンサ３０による楽音の発生、歌詞テロップの生成と同期して、ハードディスク１１に記憶されている映像データ４１を読み出して背景映像を再生する。動画の映像データは、ＭＰＥＧ２形式にエンコードされている。背景映像再生処理３３は、読み出した動画の映像データをＭＰＥＧデコーダ２０に入力する。ＭＰＥＧデコーダ２０は、入力されたＭＰＥＧデータをＮＴＳＣの映像信号に変換して合成回路２１に入力する。合成回路２１には、背景映像の映像信号以外に上記歌詞テロップの文字パターン等が入力される。合成回路２１は、背景映像の映像信号の上に歌詞テロップなどのＯＳＤを合成してモニタ２２に出力する。モニタ２２は、合成回路２１から入力された映像信号を表示する。
【００３７】
操作部２３は、操作パネル面に設けられた各種のキースイッチ及びこのキースイッチの操作を検出するパネルスイッチインタフェースを有している。
【００３８】
また、ＬＡＮインタフェース２４は、ＬＡＮ５を介した通信を制御するためのインタフェースである。カラオケ装置は、ＬＡＮ５を介してセンタ１０１、管理装置６及びペアリングされた無線端末装置９と通信する。
【００３９】
また、赤外線通信部２５は、ペアリング処理において、無線端末装置９から赤外線信号を受信する回路である。
【００４０】
カラオケ装置７の操作パネル面には、曲番号を入力するためのテンキー、曲のテンポを変更するためのテンポコントロールスイッチ、曲を早送り・巻き戻しするための早送りスイッチ・巻き戻しスイッチ、及び曲を移調するためのキーコントロールスイッチ等が設けられている。
【００４１】
また、無線端末装置９は、タッチパネル機能を有するＬＣＤディスプレイ５０（図４，図５参照）を有しており、このＬＣＤディスプレイ５０に曲番号を入力するためのテンキーや曲名から曲番号を検索するための検索画面（５０音キーを含む）等が表示される。また、曲の演奏前及び演奏中には、曲のテンポを変更するためのテンポコントロールスイッチ、曲を早送り・巻き戻しするための早送りスイッチ、巻き戻しスイッチ、及び曲を移調するためのキーコントロールスイッチ等が表示される。
【００４２】
操作部２３は、パネルスイッチが操作されたことを検出して対応する操作信号をＣＰＵ１０に出力する。
【００４３】
また、無線端末装置９は、ＬＣＤディスプレイ５０に表示しているキースイッチの操作をタッチパネルで検出し、この操作に対応する操作信号をＬＡＮ５経由で対応するペアリングされたカラオケ装置７に送信する。ＬＡＮインタフェース２４は、無線端末装置９から受信した操作信号をＣＰＵ１０に入力する。
【００４４】
ＣＰＵ１０は、操作部２３またはＬＡＮインタフェース２４から入力された操作信号に基づいて対応する処理を実行する。
【００４５】
例えば、パネルスイッチや無線端末装置９からリクエストの曲番号が入力されると、この曲番号がシーケンサ３０に入力され、各プログラムは以下の処理を実行する。
【００４６】
シーケンサ３０は、これに応じて、この曲番号で識別されるカラオケ曲の演奏データをハードディスク１１の曲データ記憶エリア４０から読み出す。曲シーケンサ３１は演奏データ中の演奏データトラック、ガイドメロディトラックなどのトラックのデータを読み出し、このデータで音源１３を制御することによってカラオケ曲の演奏音を発生させる。また、歌詞シーケンサ３２は、演奏データ中の歌詞トラックのデータを読み出し、このデータに基づいて歌詞テロップの画像パターンを作成して合成回路２１に出力する。また、背景映像再生処理３３は、シーケンサ３０からの指示に応じて所定の映像データを読み出してＭＰＥＧデコーダ２０に入力する。
【００４７】
また、パネルスイッチや無線端末装置９からテンポコントロール信号や早送り・巻き戻しの信号が入力されると、この曲番号がシーケンサ３０に入力され、演奏のテンポや歌詞表示の進行がこの信号の内容に応じて設定変更される。
【００４８】
図４は、無線端末装置の外観図である。無線端末装置９は、カラオケ曲の予約や曲のテンポ・キーをコントロールする機能を備えた所謂リモコン装置として機能するほか、カラオケ曲の試聴機能、顧客のログイン機能、各種課金清算機能、カメラによる撮影機能、歌詞表示機能等、種々の機能を備えている。
【００４９】
無線端末装置９は、カラオケ店舗３においては、無線ＬＡＮ端末として機能し、また、ペアリング処理を行うことにより、ペアリングで対応づけられたカラオケ装置７と通信する。
【００５０】
無線端末装置９は、図４に示したように、略五角形（ホームベース状）の形状をしており、中央部にＬＣＤディスプレイ５０を備えている。このＬＣＤディスプレイ５０の下方中央にカードリーダ部５２、その左右にステレオスピーカ５１が設けられている。また、ＬＣＤディスプレイ５０の上端部には、カメラ５３，ストロボフラッシュ５４が設けられている。
【００５１】
ＬＣＤディスプレイ５０は、タッチパネル機能を有している。動作モードに応じてＬＣＤディスプレイ５０には、各種のタッチキーが表示され、利用者によるタッチキーの操作をタッチパネルスイッチ６９（図５参照）が検出する。表示されるタッチキーには、曲番号を入力するためのテンキースイッチ・曲名を入力するための５０音キーボード・パソコン配列のキーボード等があり、動作モードに対応したものが表示される。
【００５２】
また、カラオケ曲の演奏中には、ＬＣＤディスプレイ５０にカラオケ曲の歌詞テロップが、カラオケ装置７によるカラオケ曲の演奏と同期して表示される。
【００５３】
カードリーダ部５２は、顧客のＩＤカードがセットされると、非接触カードインタフェース６５が無線通信でＩＤカードと通信し、このＩＤカードに記憶されている顧客ＩＤを読み取り、センタ１０１に送信する。
【００５４】
また、この無線端末装置９は簡略な音源を内蔵しており、演奏データの一部を再生してカラオケ曲の試聴演奏をする機能を有している。この試聴演奏された楽音がステレオスピーカ５１から出力される。
【００５５】
図５は、無線端末装置のブロック図である。無線端末装置９を制御するＣＰＵ６０には、内部バスを介してＲＯＭ６１、ＲＡＭ６２、音源６３、非接触カードインタフェース６５、無線ＬＡＮインタフェース６６、及び周辺機器コントローラ６８が接続されている。
【００５６】
ＲＯＭ６１には、この無線端末装置９の動作を制御する各種プログラムが記憶されている。ＲＯＭ６１は、フラッシュメモリで構成されており、ＵＳＢインタフェースを介して接続される外部装置によってプログラムの書き換えが行われる。ＲＡＭ６２には、顧客情報等の各種データが記憶される。また、後述する歌詞表示モードの場合には、カラオケ装置７からＬＡＮ５を介して送られてくるカラオケ曲の歌詞データを記憶する。
【００５７】
音源６３は、カラオケ装置７に内蔵されているものよりは簡略なものであるが、カラオケ曲の演奏データ（楽音トラック・ガイドメロディトラック）に基づいて楽音を発生させることができるものである。この音源６３は、試聴モード時に利用される。試聴モードでは、ユーザによって選択されたカラオケ曲における演奏データの一部（楽音トラック・ガイドメロディトラックの一部）をカラオケ装置７からダウンロードし、この演奏データの一部を音源６３で再生する。音源６３にはアンプ６４が接続されている。アンプ６４は、音源６３が生成した試聴用の楽音を増幅してステレオスピーカ５１に出力する。
【００５８】
非接触カードインタフェース６５は、カードリーダ部５２にセットされた非接触媒体であるＩＤカードと通信するためのインタフェースである。この非接触カードインタフェース６５は、電磁波で非接触カードに電源を供給する機能及び無線で非接触カードと通信する機能を備えている。
【００５９】
無線ＬＡＮインタフェース６６は、アンテナ６７を内蔵し、無線アクセスポイント８を介してこの無線端末装置９をＬＡＮ５に接続するためのインタフェースである。
【００６０】
周辺機器コントローラ６８には、前記ＬＣＤディスプレイ５０、タッチパネルスイッチ６９、カメラ５３、ストロボフラッシュ５４のほか、赤外線リモコン信号をカラオケ装置７に対して送信する赤外線リモコン送信部７０、他の装置と赤外線通信をするためのＩｒＤＡ７１、ＵＳＢインタフェース７２等が接続されている。
【００６１】
赤外線リモコン送信部７０は、後述のペアリング処理時に用いられる。ＵＳＢインタフェース７２は、この装置にパーソナルコンピュータ等のメンテナンス装置を接続してＲＯＭ（フラッシュメモリ）６１に記憶されているプログラム（ファームウェア）を書き換えるときに使用される。
【００６２】
図６は、配信サーバ及びミキサ装置の概略構成を示すブロック図である。配信サーバ１０３は、操作部１２１、表示部１２２、通信部１２３、記憶部１２４、計時部１２５、信号入力部１２６及び制御部１２７を備えている。また、配信サーバ１０３の信号入力部１２６には、歌手の歌声や楽器の音声をミキシングするミキサ装置１０５が接続されている。
【００６３】
ミキサ装置１０５は、音声信号及び映像信号を入力する入力部１３１、音声信号の調整やミキシングを行う音声ミキサ１３３、映像信号の調整やミキシングを行う映像ミキサ１３５、音声ミキサ１３３及び映像ミキサ１３５に対する操作を受け付ける操作部１３７、音声信号及び映像信号を出力する出力部１３９を備えている。また、入力部１３１には、歌手の声やドラムの音等の音声を収音するマイクロフォン１４１、演奏者が演奏するギター等の楽器１４３、歌手や演奏者の様子を撮影するカメラ１４５が接続されている。
【００６４】
ミキサ装置１０５は、マイクロフォン１４１から出力された音声信号や楽器１４３から出力された音声信号を音声ミキサ１３３で調整・ミキシングして出力部１３９から出力する。また、ミキサ装置１０５は、カメラ１４５から出力された映像信号を映像ミキサ１３５で調整・ミキシングして出力部１３９から出力する。
【００６５】
配信サーバ１０３は、コンサート会場の入力担当者（例えばタイムキーパ）が操作部１２１から入力したライブ曲情報を受け付ける。また、配信サーバ１０３は、コンサート会場の入力担当者が、コンサートの進行状況に応じて操作部１２１からライブ曲の演奏開始時刻を変更する入力を受け付ける。
【００６６】
表示部１２２は、入力担当者が入力した内容等の文字情報や映像情報を表示する。記憶部１２４は、操作部１２１から入力されたライブ曲情報や、コンサートにおいてライブ曲より前に演奏される曲の演奏開始時刻等を記憶する。計時部１２５は、現在時刻を計時する。また、制御部１２７は、操作部１２１からライブ曲の演奏開始時刻の変更情報が入力された際には、記憶部１２４が記憶するライブ曲情報（演奏開始時刻情報）を、この変更情報に更新する。
【００６７】
また、制御部１２７は、カラオケ装置７に配信するライブ曲より前の曲が演奏開始された時刻と、その曲の予め設定された演奏時間と、を比較して、演奏開始時刻にずれが生じていた場合には、変更情報を作成し、記憶部１２４が記憶するライブ曲情報（演奏開始時刻情報）を、この変更情報に更新する。
【００６８】
通信部１２３は、記憶部１２４が記憶するライブ曲情報を、インターネット２及びルータ４を介して、カラオケ店舗３のカラオケ装置７及び無線端末装置９に送信する。また、通信部１２３は、信号入力部１２６に接続されたミキサ装置１０５が出力したライブ曲の音声信号や映像信号を、インターネット２を介して送信可能な形式の演奏データ及び映像データに変換し、この演奏データ及び映像データをインターネット２及びルータ４を介して、カラオケ店舗３のカラオケ装置７や無線端末装置９に送信する。
【００６９】
ここで、配信サーバ１０３は、ライブ曲情報をカラオケ装置７や無線端末装置９に配信するのではなく、センタ１０１に送信し、センタ１０１が複数のライブ曲情報をまとめた後に、センタ１０１からカラオケ装置７や無線端末装置９に配信するようにしても良い。
【００７０】
図７は、無線端末装置に表示されたライブ曲の予定情報と、予約リストの一例を示す図である。ライブ曲情報は、コンサート会場に設置された配信サーバ１０３またはセンタ１０１から配信される。無線端末装置９は、無線ＬＡＮインタフェース６６を介してライブ曲情報を受信すると、ＣＰＵ６０でライブ曲の予定リストを作成して、ＲＡＭ６２に記憶させる。また、ＣＰＵ６０は、無線ＬＡＮインタフェース６６を介してライブ曲情報を複数受信した場合には、演奏開始時刻順に表示されるようにライブ曲の予定リストを作成する。
【００７１】
ＣＰＵ６０は、タッチパネルスイッチ６９がライブ曲の予定リストを表示させる操作を受け付けたことを検出すると、ＲＡＭ６２からライブ曲の予定リストを読み出してＬＣＤディスプレイ５０に表示させる。また、無線端末装置９は、ＬＡＮ５を介してペアリングしているカラオケ装置７を操作可能であり、タッチパネルスイッチ６９の操作によりカラオケ装置７のモニタ２２に、ライブ曲の予定リストを表示させることも可能である。
【００７２】
ライブ曲の予定リストは、図７（Ａ）に示すように、無線端末装置９のＬＣＤディスプレイ５０に演奏開始時刻の順に時系列で表示される。
【００７３】
ユーザは、無線端末装置９のＬＣＤディスプレイ５０に、演奏可能なカラオケ曲のリストを表示させて、所望のカラオケ曲が表示されている部分をタッチすることで、ライブ曲を予約することができる。また、ユーザは、無線端末装置９のＬＣＤディスプレイ５０の表示を予約コード入力画面に切り替えて、所望のカラオケ曲の予約コードを入力する操作を行うことでも、カラオケ曲を予約できる。
【００７４】
また、ユーザは、ライブ曲の予約もカラオケ曲と同様に行うことができる。すなわち、ユーザは、無線端末装置９のＬＣＤディスプレイ５０に、図７（Ａ）に示したようにライブ曲の予定リストを表示させて、所望のライブ曲の部分をタッチすることで、ライブ曲を予約することができる。また、ユーザは、無線端末装置９のＬＣＤディスプレイ５０の表示を予約コード入力画面に切り替えて、所望のライブ曲の予約コードを入力する操作を行うことでも、ライブ曲を予約できる。
【００７５】
無線端末装置９のＣＰＵ６０は、タッチパネルスイッチ６９からのカラオケ曲またはライブ曲の予約操作を検出すると、図７（Ｂ）に示すように、カラオケ曲予約リストＬ１とライブ曲予約リストＬ２を作成する。カラオケ曲予約リストＬ１は、カラオケ曲を予約された順番に曲番号（曲名）と予約コードが配列されている。また、ライブ曲予約リストＬ２は、予約された順番ではなく、演奏開始時刻の順番に配列されている。無線端末装置９は、カラオケ曲予約リストＬ１やライブ曲予約リストＬ２を作成したり予約曲を変更したりすると、カラオケ装置７に、カラオケ曲予約リストＬ１やライブ曲予約リストＬ２のデータを、ＬＡＮ５を介して送出する。カラオケ装置７のＣＰＵ１０は、ＬＡＮインタフェース２４を介して受信したカラオケ曲予約リストＬ１やライブ曲予約リストＬ２のデータをＲＡＭ１２に格納する。
【００７６】
図８、図９、図１０は、カラオケ装置において、カラオケ曲及びライブ曲を再生する際の動作を説明するためのフローチャートである。
【００７７】
ここで、カラオケ装置７では、カラオケ曲予約リストＬ１には予約順にカラオケ曲が並び、予約リストの先頭曲（１曲目の曲）の再生が終了すると、再生した曲はカラオケ曲予約リストＬ１から消去されて、直前まで予約リストの２番目であった曲が予約リストの先頭（１番目）の曲に繰り上がる。しかし、以下の説明では、説明を容易に理解できるように、カラオケ曲予約リストＬ１において、カラオケ曲を再生してもそのカラオケ曲が予約リストから消去されずにそのまま残るものとして説明する。
【００７８】
また、以下の説明では、カラオケ装置７の動作を主に説明するが、カラオケ装置７の動作に連動して無線端末装置９が動作し、また、無線端末装置９の動作に連動してカラオケ装置７がカラオケ曲やライブ曲を再生する。
【００７９】
カラオケ装置７は、図７（Ｂ）に示したカラオケ曲予約リストＬ１の予約順にカラオケ曲を再生（演奏）する。また、カラオケ装置７は、演奏開始時刻が予め設定されているライブ曲を、図７（Ｂ）に示したライブ曲予約リストＬ２の演奏開始時刻順に、カラオケ曲の予約列の途中に割り込ませて、その演奏開始時刻から演奏終了まで再生する。
【００８０】
カラオケ装置７は、カラオケ曲やライブ曲の予約操作を検出したタイミングや、カラオケ曲の再生を終了したタイミング等に以下の動作を行う。
【００８１】
図８に示すように、カラオケ装置７のＣＰＵ１０は、ＲＡＭ１２に格納しているカラオケ曲予約リストＬ１・ライブ曲予約リストＬ２を読み出して、カラオケ曲及びライブ曲の予約の有無を確認する（ｓ１）。ＣＰＵ１０は、ライブ曲の予約がない場合には（ｓ２：Ｎ）、カラオケ曲予約リストＬ１の先頭曲（１番目の曲）を最初から最後まで再生する（ｓ３）。そして、ＣＰＵ１０は、再度、ステップｓ１からの処理を行う。
【００８２】
ＣＰＵ１０は、ステップｓ２において、ライブ曲の予約がある場合には（ｓ２：Ｙ）、次に再生予定のカラオケ曲（カラオケ曲予約リストＬ１の２番目の曲）の再生時間、現在時刻、及びライブ曲予約リストＬ２の先頭曲の演奏開始時刻を確認して（ｓ４）、次に再生予定のカラオケ曲の再生中にライブ曲の演奏開始時刻となるか否かを判定する（ｓ５）。ＣＰＵ１０は、カラオケ曲の再生中にライブ曲の演奏開始時刻とならない（ライブ曲の演奏が始まらない）場合には（ｓ５：Ｎ）、ユーザに対する問い合わせメッセージをモニタ２２または無線端末装置９のＬＣＤディスプレイ５０に表示させずに、次に再生予定のカラオケ曲を最初から最後まで再生する（ｓ３）。そして、ＣＰＵ１０は、再度、ステップｓ１からの処理を行う。
【００８３】
一方、ステップｓ５において、ＣＰＵ１０は、カラオケ曲の再生中にライブ曲の再生開始時刻となる場合には（ｓ５：Ｙ）、再生予定のカラオケ曲（カラオケ曲予約リストＬ１の２番目の曲）の再生時間、このカラオケ曲の次に再生予定のカラオケ曲（カラオケ曲予約リストＬ１の３番目の曲）の再生時間、現在時刻、ライブ曲予約リストＬ２の先頭曲の演奏開始時刻と再生時間、及びライブ曲予約リストＬ２の２番目以降の曲の演奏開始時刻及び再生時間等の情報に基づいて、ライブ曲の演奏開始時刻までに演奏するカラオケ曲の曲順または演奏態様の変更案を作成する（ｓ６）。また、再生開始時刻の関係でライブ曲の演奏（再生）が複数曲連続する場合には（ｓ７：Ｙ）、その旨をモニタ２２または無線端末装置９のＬＣＤディスプレイ５０に表示させる（ｓ８）。そして、ＣＰＵ１０は、モニタ２２または無線端末装置９のＬＣＤディスプレイ５０に複数の変更案をユーザの選択に応じて表示する。一方、ライブ曲の演奏（再生）が複数曲連続する場合には（ｓ７：Ｎ）、すぐにステップｓ９の処理を行う。
【００８４】
ＣＰＵ１０は、まず、次に再生するカラオケ曲を途中で停止して、演奏開始時刻からライブ曲を再生しても良いか否かを確認する内容をモニタ２２または無線端末装置９のＬＣＤディスプレイ５０に表示させて、この表示に対するユーザの応答（入力）を待ち受ける（ｓ９）。ＣＰＵ１０は、ライブ曲を割り込ませても良い旨の入力があった場合（ｓ９：Ｙ）、ライブ曲の終了後に、途中で停止したカラオケ曲を続きから再生するか（再生方法１とする。）、途中で停止したカラオケ曲を再度最初から再生するか（再生方法２とする。）、それとも途中で停止したカラオケ曲を再生せずに次のカラオケ曲を再生するか（再生方法３とする。）を確認する内容をモニタ２２または無線端末装置９のＬＣＤディスプレイ５０に表示させる（ｓ１０）。そして、ＣＰＵ１０は、この表示に対するユーザの応答（選択入力）を待ち受ける（ｓ１１）。ＣＰＵ１０は、再生方法１〜３のいずれかを選択する入力があると、図９に示すように、カラオケ曲予約リストＬ１の２曲目を再生し（ｓ１２）、ライブ曲予約リストＬ２の１曲目の再生開始時間の直前に、ライブ曲に切り替える旨の表示をモニタ２２または無線端末装置９のＬＣＤディスプレイ５０に表示させるとともに、カラオケ曲の２曲目の再生を停止する（ｓ１３）。続いて、ＣＰＵ１０は、ＬＡＮインタフェース２４を介して配信サーバ１０３から配信されるライブ曲の演奏データを受信して、音声データを音声信号に変換し映像データを映像信号に変換して、音源１３を通さずにライブ曲予約リストＬ２の１曲目の音声をスピーカ１６から放音させ、ライブ曲予約リストＬ２の１曲目の映像をモニタ２２に表示させて、ライブ曲予約リストＬ２の１曲目のライブ曲を最初から最後まで再生する。また、複数のライブ曲を連続して再生する場合には、最後の曲の最後まで再生する（ｓ１４）。
【００８５】
ＣＰＵ１０は、続いて、ステップｓ１１で選択された再生方法でカラオケ曲を再生する。すなわち、ＣＰＵ１０は、ステップｓ１１において再生方法１が選択された場合には（ｓ１５）、カラオケ曲予約リストＬ１の１曲目の再生を停止した部分またはその直前からその曲の最後まで再生する（ｓ１６）。そして、ＣＰＵ１０は、図８に示すステップｓ１以降の処理を行う。
【００８６】
また、ＣＰＵ１０は、ステップｓ１１において再生方法２が選択された場合には（ｓ１７）、カラオケ曲予約リストＬ１の１曲目を最初から最後まで再生する（ｓ１８）。そして、ＣＰＵ１０は、図８に示すステップｓ１以降の処理を行う。
【００８７】
一方、ＣＰＵ１０は、ステップｓ１１において再生方法３が選択された場合には、カラオケ曲予約リストＬ１の２曲目を最初から最後まで再生する（ｓ１９）。そして、ＣＰＵ１０は、図８に示すステップｓ１以降の処理を行う。
【００８８】
また、図８に示すステップｓ９において、ＣＰＵ１０は、カラオケ曲を途中まで再生して、演奏開始時刻からライブ曲を再生しない旨の入力があった場合には（ｓ９：Ｎ）、図１０に示すように、ライブ曲の再生開始時刻の直前に終了する別のカラオケ予約曲に曲順を入れ替えるか否かを問い合わせる内容をモニタ２２または無線端末装置９のＬＣＤディスプレイ５０に表示させる（ｓ２１）。ＣＰＵ１０は、カラオケ曲の曲順を入れ替える旨の入力があった場合には（ｓ２１：Ｙ）、ライブ曲の再生が開始される直前までに再生が終了する長さ（再生時間）の曲を選別する（ｓ２２）。そして、選別したカラオケ曲を先に再生しても良いか曲順の入れ替えを確認する内容をモニタ２２または無線端末装置９のＬＣＤディスプレイ５０に表示させる（ｓ２３）。
【００８９】
ＣＰＵ１０は、選別したカラオケ曲を先に再生する曲順の入れ替えを了承しない旨の入力があった場合には（ｓ２３：Ｎ）、別の入れ替え候補曲がある場合には、そのカラオケ曲についてカラオケ曲を先に再生しても良いか曲順の入れ替えを確認する内容をモニタ２２または無線端末装置９のＬＣＤディスプレイ５０に表示させて、ユーザの入力を待つ（ｓ２４）。
【００９０】
ＣＰＵ１０は、曲順の入れ替えを了承する旨の入力があった場合（ｓ２３：Ｙ、ｓ２４：Ｙ）、選別したカラオケ曲を最初から最後まで再生する（ｓ２５）。続いて、ＣＰＵ１０は、ライブ曲予約リストＬ２の１曲目の再生を開始する旨の表示をモニタ２２または無線端末装置９のＬＣＤディスプレイ５０に表示させた後に、ライブ曲の１曲目を最初から最後まで再生する。また、ＣＰＵ１０は、ライブ曲の演奏（再生）が複数曲続く場合には、その旨をモニタ２２または無線端末装置９のＬＣＤディスプレイ５０に表示させて、ライブ曲を最後まで再生する（ｓ２６）。続いて、カラオケ曲予約リストＬ１の２曲目を最初から最後まで再生する（ｓ２７）。そして、ＣＰＵ１０は、図８に示すステップｓ１以降の処理を行う。
【００９１】
また、ＣＰＵ１０は、ステップｓ２１において曲順を入れ替えない旨の入力があった場合（ｓ２１：Ｎ）、及びステップｓ２４において曲順を入れ替えする別の候補曲がない場合（ｓ２４：Ｎ）には、ライブ曲の再生開始時刻までの間にカラオケ曲を再生しないで良いか否かを確認する旨の表示をモニタ２２または無線端末装置９のＬＣＤディスプレイ５０に表示させる（ｓ３１）。
【００９２】
ＣＰＵ１０は、ライブ曲の再生開始時刻までの間にカラオケ曲を再生しないことを了承しない旨の入力があった場合（ｓ３１：Ｎ）には、図８に示すステップｓ９以降の処理を再度行う。
【００９３】
また、ＣＰＵ１０は、ステップｓ３１において、ライブ曲の再生開始時刻までの間に、カラオケ曲を再生しないことを了承する旨の入力があった場合（ｓ３１：Ｙ）には、カラオケ曲の再生を行わずに待機する（ｓ３２）。ＣＰＵ１０は、ライブ曲予約リストＬ２の１曲目の演奏開始時刻の直前になると（ｓ３３）、ライブ曲に切り替える旨の表示をモニタ２２または無線端末装置９のＬＣＤディスプレイ５０に表示させて、ライブ曲の演奏（再生）が複数曲続く場合には、その旨をモニタ２２または無線端末装置９のＬＣＤディスプレイ５０に表示させて（ｓ３４）、ライブ曲予約リストＬ２の１曲目の演奏開始時刻になると、このライブ曲を最初から最後まで再生する。また、ＣＰＵ１０は、ライブ曲の演奏（再生）が複数曲続く場合には、複数のライブ曲を最後まで再生する（ｓ３５）。そして、ＣＰＵ１０は、図８に示すステップｓ１以降の処理を行う。
【００９４】
図１１は、カラオケシステムにおける演奏曲のタイムテーブルである。カラオケ装置７では、具体的には、予約されたライブ曲を以下のような手順で再生する。図１１（Ａ）に示すように、カラオケ曲予約リストＬ１の１曲目である５分の曲＃Ｎ００１を１９：２１から再生を開始する場合、この曲は１９：２６に終了する。また、ライブ曲予約リストＬ２の１曲目は１９：３０から再生開始予定であり、カラオケ曲予約リストＬ１の１曲目の再生中には、ライブ曲の再生開始時刻とならない。そのため、ＣＰＵ１０は、問い合わせメッセージをモニタ２２または無線端末装置９のＬＣＤディスプレイ５０に表示させずに、１曲目のカラオケ曲＃Ｎ００１を再生する。
【００９５】
続いて、カラオケ曲予約リストＬ１の２曲目である６分のカラオケ曲＃Ｎ００２の演奏を開始する１９：２６時点では、ライブ曲予約リストＬ２の１曲目であるライブ曲＃Ｌ００１の演奏が１９：３０から開始されることがわかっている。この場合、カラオケ曲の再生途中にライブ曲の演奏が始まってしまう。そこで、カラオケ装置７のＣＰＵ１０は、カラオケ曲＃Ｎ００２の演奏を開始する前に、「曲の途中でライブ曲に切り替えますか？若しくは、ライブ開始直前に終了する別のカラオケ予約曲（＃Ｎ００４）と曲順を入れ替えますか？または、ライブ曲＃Ｌ００１の再生開始まで待機しますか？」という内容を表示させて、ユーザの選択を待つ（以下、選択待ち受け状態と称する。）。
【００９６】
選択待ち受け状態において、ユーザがカラオケ曲＃Ｎ００２の再生を停止して途中でライブ曲に切り替え、＃Ｎ００２を続きから再生すると選択した場合には、図１１（Ｂ）に示すように、カラオケ装置７は１９：２６からカラオケ曲＃Ｎ００２を再生し、１９：３０の直前にカラオケ曲＃Ｎ００２の再生を停止し、「今からライブ曲＃Ｌ００１に切り替えます。」と表示させる。そして、ライブ曲＃Ｌ００１を再生し、ライブ曲＃Ｌ００１が１９：４０に終了すると、「先ほど再生したカラオケ曲＃Ｎ００２を続きから再生します。」と表示させて、カラオケ曲＃Ｎ００２を続きから再生する。また、２曲目のライブ曲＃Ｌ００２の演奏開始時刻は２０：００なので、ＣＰＵ１０は、続いてカラオケ曲＃Ｎ００３を再生する。
【００９７】
選択待ち受け状態において、ユーザがカラオケ曲＃Ｎ００２の再生を停止して途中でライブ曲＃Ｌ００１に切り替え、ライブ曲＃Ｌ００１の再生終了後にカラオケ曲＃Ｎ００２を再度最初から再生すると選択した場合には、図１１（Ｃ）に示すように、１９：２６からカラオケ曲＃Ｎ００２を再生する。そして、ＣＰＵ１０は、１９：３０の直前にカラオケ曲＃Ｎ００２の再生を停止し、「今からライブ曲＃Ｌ００１に切り替えます。」と表示させる。そして、ライブ曲＃Ｌ００１を再生し、ライブ曲＃Ｌ００１の再生が１９：４０に終了すると、「先ほど途中まで再生したカラオケ曲＃Ｎ００２を最初から再生します。」と表示させて、カラオケ曲＃Ｎ００２を最初から再生する。また、２曲目のライブ曲＃Ｌ００２の演奏開始時刻は２０：００なので、ＣＰＵ１０は、続いてカラオケ曲＃Ｎ００３を再生する。
【００９８】
選択待ち受け状態において、ユーザがカラオケ曲＃Ｎ００２を再生せずに、別の短い曲であるカラオケ曲♯Ｎ００４を先に再生すると選択した場合には、ＣＰＵ１０は、図１１（Ｄ）に示すように、１９：２６から３分のカラオケ曲＃Ｎ００４を再生して、１９：２９にカラオケ曲＃Ｎ００４の再生を終了するとともに、１９：３０の直前に「今からライブ曲＃Ｌ００１を再生します。」という内容をモニタ２２または無線端末装置９のＬＣＤディスプレイ５０に表示させる。また、ＣＰＵ１０は、ライブ曲＃Ｌ００１を再生し、ライブ曲＃Ｌ００１が１９：４０に終了すると、「カラオケ曲の再生に戻ります。曲順は一部入れ替わっています。」とモニタ２２または無線端末装置９のＬＣＤディスプレイ５０に表示させる。そして、ＣＰＵ１０は、２曲目のライブ曲＃Ｌ００２の演奏開始時刻が２０：００なので、カラオケ曲＃Ｎ００２、＃Ｎ００３、＃Ｎ００５を順に再生する。
【００９９】
選択待ち受け状態において、ユーザが＃Ｎ００２を再生せずに、ライブ曲＃Ｌ００１の再生開始まで待機すると選択した場合には、ＣＰＵ１０は、図１１（Ｅ）に示すように、１９：２６から無音でまたはＢＧＭを再生しながら、「ライブ曲＃Ｌ００１の開始まで後○分です。」というモニタ２２または無線端末装置９のＬＣＤディスプレイ５０の表示を随時更新して、１９：３０の直前に「今からライブ曲＃Ｌ００１を再生します。」という内容をモニタ２２または無線端末装置９のＬＣＤディスプレイ５０に表示させる。そして、ＣＰＵ１０は、ライブ曲＃Ｌ００１を再生し、ライブ曲＃Ｌ００１が１９：４０に終了すると、「カラオケ曲の再生に戻ります。」と表示させ、２曲目のライブ曲＃Ｌ００２の演奏開始時刻が２０：００なので、カラオケ曲＃Ｎ００２、＃Ｎ００３・・・を順に再生する。
【０１００】
このように、ライブ曲を演奏開始時刻から確実に再生するとともに、ライブ曲の演奏開始時刻の直前におけるカラオケ曲の再生態様を、ユーザの希望を問い合わせて、その希望に応じてカラオケ曲の再生順を調整する。これにより、ユーザは、ライブ曲の演奏開始時刻から、憧れの演奏者とデュエットしたり、憧れの演奏者の演奏で歌唱したりすることができる。また、ライブ曲の演奏開始時刻の直前の時間も活用できる。
【０１０１】
次に、前記のように、コンサート等のライブイベントでは、歌手・演奏者の調子やコンサート会場の観客の乗り具合等によって、演奏時間が延長されたり短縮されたりすることがある。そのため、カラオケ装置に配信するライブ曲の演奏開始時刻も変動することが予想される。このように、ライブ曲の演奏開始時刻が変動すると、それに合わせてカラオケ曲の再生順を変更しなければならない。そこで、本発明のカラオケシステムでは、コンサートの進行状況に合わせて変動するライブ曲の演奏開始予定時刻を、コンサート会場に設置した配信サーバ１０３から所定のタイミングで、各カラオケ装置７に対して通知する。これにより、コンサートの進行状況によって、ライブ曲の演奏開始時刻が変動したとしても、カラオケ装置７では、ライブ曲を最初から最後まで確実に再生するように、カラオケ曲の再生順を調整することができる。
【０１０２】
図１２は、カラオケシステムのライブ曲再生開始時刻変更時の動作を説明するためのフローチャートである。コンサートの開始前には、各カラオケ装置７に配信するライブ曲の演奏開始時刻が予め決められているので、コンサート会場の入力担当者は、例えばライブ曲の配信日（コンサート開催日）の午前中に、この演奏開始予定を配信サーバ１０３に入力しておく。図１２に示すように、配信サーバ１０３の制御部１２７は、配信予定のライブ曲情報の入力を検出していない場合（ｓ５１：Ｎ）には、ステップｓ５３の処理を行う。一方、制御部１２７は、配信予定のライブ曲情報の入力を検出した場合には、配信予定のライブ曲情報が入力されると（ｓ５１：Ｙ）、記憶部１２４にこのライブ曲情報を記憶させるとともに、通信部１２３からインターネット２を介して、各カラオケ装置７にライブ曲情報を配信する（ｓ５２）。
【０１０３】
各カラオケ装置７のＣＰＵ１０は、配信サーバ１０３からライブ曲情報が配信されていないとき（ｓ６１：Ｎ）には、ステップｓ６３の処理を行う。一方、ＣＰＵ１０は、配信サーバ１０３からライブ曲情報が配信されて、ＬＡＮインタフェース２４を介してこのライブ曲情報を受信すると（ｓ６１：Ｙ）、受信したライブ曲情報をＲＡＭ１２に格納して、ユーザの操作によりモニタ２２や無線端末装置９のＬＣＤディスプレイ５０に表示可能なライブ予定リストの状態にする（ｓ６２）。
【０１０４】
また、カラオケ装置７は、予約操作や予約済みの曲が他にないとき（ｓ６３：Ｎ）には、ステップｓ６５の処理を行う。一方、カラオケ装置７は、予約操作を検出したり、カラオケ曲やライブ曲の再生終了後に予約済みの曲が他にあったりすると（ｓ６３：Ｙ）、カラオケ曲やライブ曲を再生する。すなわち、カラオケ装置７は、図８〜図１０に基づいて説明した処理を実行する（ｓ６４）。
【０１０５】
コンサート会場においてコンサートが開始すると、入力担当者は、コンサートの進行状況を確認し、この進行状況に合わせてライブ曲の演奏開始予定時刻を変更する。例えば、カラオケ装置７に配信するライブ曲が、コンサートの１０曲目に演奏される曲の場合には、配信サーバ１０３は、コンサートの４曲目と８曲目について、予め入力された演奏開始予定時刻と、曲の開始時に入力された実際の演奏開始時刻と、を比較して、この２つの時刻の差に基づいて、ライブ曲として配信するコンサートで１０曲目に演奏する曲の演奏開始予定時刻を変更して、各カラオケ装置に配信する。
【０１０６】
配信サーバ１０３の制御部１２７は、ライブ曲の再生開始時刻の変更情報が操作部１２１から入力されていないときには（ｓ５３：Ｎ）、ステップｓ５５の処理を行う。一方、配信サーバ１０３の制御部１２７は、操作部１２１からライブ曲の再生開始時刻の変更情報が入力された場合には（ｓ５３：Ｙ）、記憶部１２４にこのライブ曲情報の一部である修正された演奏開始時刻を変更情報に更新させるとともに、通信部１２３からインターネット２を介して、各カラオケ装置７にこの演奏開始時刻情報を配信する（ｓ５４）。
【０１０７】
配信サーバ１０３の制御部１２７は、信号入力部１２６から入力される信号を監視しており、ライブ曲の再生開始時刻よりも前に演奏される特定曲について音声信号が入力されていないときには（ｓ５５：Ｎ）、ステップｓ５１以降の処理を行う。一方、配信サーバ１０３の制御部１２７は、ライブ曲の再生開始時刻よりも前に演奏される特定曲について音声信号が入力されると（ｓ５５：Ｙ）、予め入力された演奏開始予定時刻と、特定曲の実際の演奏開始時刻と、を比較して差を算出する（ｓ５６）。そして、制御部１２７は、この２つの時刻の差に基づいて、ライブ曲として配信するコンサートで１０曲目に演奏する曲の演奏開始時刻を変更して、通信部１２３を介して各カラオケ装置７に演奏開始時刻の変更情報を配信する（ｓ５７）。そして、ｓ５１以降の処理を繰り返す。
【０１０８】
例えば、カラオケ装置７に配信するライブ曲が、コンサートの１０曲目に演奏される曲の場合には、配信サーバ１０３は、コンサートの４曲目と８曲目について、予め入力された演奏開始予定時刻を記憶部１２４に記憶させておく。また、コンサートで演奏される４曲目と８曲目の曲について、最初のフレーズを記憶部１２４に記憶させておく。そして、制御部１２７は信号入力部１２６で、４曲目及び８曲目の曲のフレーズを検出し、このフレーズを検出した時刻と、実際の演奏開始時刻と、を比較して、この２つの時刻の差を算出する。そして、記憶部１２４にこのライブ曲情報の一部である修正された演奏開始時刻を変更情報に更新させるとともに、通信部１２３からインターネット２を介して、各カラオケ装置７にこの演奏開始時刻情報を配信する。
【０１０９】
各カラオケ装置７のＣＰＵ１０は、配信サーバ１０３がライブ曲の再生開始時刻の変更情報を配信していないとき（ｓ６５：Ｎ）には、ステップｓ６１の処理を行う。一方、各カラオケ装置７のＣＰＵ１０は、ＬＡＮインタフェース２４を介して配信サーバ１０３からライブ曲の演奏開始時刻の変更情報を受信すると（ｓ６５：Ｙ）、ＲＡＭ１２が記憶するライブ曲情報を、受信した演奏開始時刻の変更情報に基づいて更新し、ユーザの操作によりモニタ２２や無線端末装置９のＬＣＤディスプレイ５０に表示可能な状態にする（ｓ６６）。そして、カラオケ装置７は、ステップｓ６１以降の処理を繰り返す。
【０１１０】
具体的には、以下のように調整を行う。図１３は、コンサートの進行状況を表すタイムテーブルである。
【０１１１】
前記の図７に示したように、ライブ曲＃Ｌ００１は、当初の演奏開始予定時刻は１９：３０であった。コンサートの開始が遅れたため、コンサートの４曲目は、演奏開始予定時刻１８：５０に対して、実際の演奏開始時刻は１８：５５であり、５分送れていた。そのため、配信サーバ１０３の入力部から入力担当者は、ライブ曲の演奏開始予定時刻を１９：３５に変更した。ライブ曲の再生開始時刻の変更情報は、直ちに配信サーバ１０３から各カラオケ装置７に配信される。
【０１１２】
カラオケ装置７は、このライブ曲の再生開始時刻の変更情報を受信すると、ＲＡＭ１２に格納されているライブ曲情報（再生開始時刻情報）を更新する。
【０１１３】
また、コンサート会場の客の乗りが良く、曲間における歌手や演奏者の話が予定よりも延びたため、８曲目は、演奏開始予定時刻が１９：２０に対して、実際の演奏開始時刻は１９：３０であり、１０分遅れであった。このとき、配信サーバ１０３は、８曲目の演奏曲の最初フレーズを検出し、そのフレーズを検出した時刻と、８曲目の演奏曲の演奏開始予定時刻と、を比較して、その時間差に基づいて１０曲目の演奏曲であるライブ曲の再生開始時刻を１９：４０に変更した。配信サーバ１０３は、変更が行われると、ライブ曲の再生開始時刻の変更情報を直ちに各カラオケ装置７に配信する。
【０１１４】
カラオケ装置７は、このライブ曲の再生開始時刻の変更情報を受信すると、ＲＡＭ１２に格納されているライブ曲情報（再生開始時刻情報）を更新する。そして、カラオケ装置７は、図８〜９に示したフローチャートに基づく動作を実行する。
【０１１５】
このように、カラオケシステム１では、配信サーバ１０３において、ライブ曲の再生開始時刻が変更された場合には、この変更された演奏開始予定時刻がカラオケ装置７に配信されて、演奏開始時刻が変更されるので、この変更情報に基づいてカラオケ曲の再生順を調整して、特別のイベントであるライブ曲を演奏開始時刻から確実に再生することが可能となる。
【０１１６】
また、本発明では、カラオケ曲の再生やセンタ１０１から配信されたカラオケ曲の演奏データを再生できる従来の通信カラオケ装置に対して、
１．演奏開始時刻が予め設定され、配信サーバ１０３からリアルタイムに配信される生演奏曲であるライブ曲の演奏開始時刻情報を含むライブ曲情報をＲＡＭ１２に記憶させる機能、
２．操作部２３が受け付けたライブ曲の予約操作に基づいて、ライブ曲の予約リストを作成する機能、
３．ライブ曲の予約リストを、ＲＡＭ１２に記憶させる機能、
４．予約されたカラオケ曲の再生中に、予約されているライブ曲の演奏開始時刻になるか否かを判定する機能、
５．予約されたカラオケ曲の再生中に、予約されているライブ曲の演奏開始時刻になる場合には、このライブ曲の演奏開始時刻までに演奏する予約済みのカラオケ曲の曲順または演奏態様を変更するとともに、ＬＡＮインタフェース２４に予約されているライブ曲の演奏データを受信させて、サウンドシステム１５に演奏開始時刻から予約されているライブ曲を再生させる機能、
を実現させるためのライブ曲再生プログラムを、ハードディスク１１またはＲＡＭ１２に記憶させる。そして、このプログラムを、コンピュータ（ＣＰＵ１０）を内蔵する従来のカラオケ装置で実行させることで、カラオケ装置７と同様に動作させることができる。つまり、ライブ曲の予約・再生機能を追加できる。
【図面の簡単な説明】
【０１１７】
【図１】カラオケシステムの概略の構成図である。
【図２】カラオケ曲の楽曲情報及びライブ曲のライブ曲情報の構成図である。
【図３】各個室に設置されるカラオケ装置のブロック図である。
【図４】無線端末装置の外観図である。
【図５】無線端末装置のブロック図である。
【図６】配信サーバ及びミキサ装置の概略構成を示すブロック図である。
【図７】無線端末装置に表示されたライブ曲の予定情報と、予約リストの一例を示す図である。
【図８】カラオケ装置において、カラオケ曲及びライブ曲を再生する際の動作を説明するためのフローチャートである。
【図９】カラオケ装置において、カラオケ曲及びライブ曲を再生する際の動作を説明するためのフローチャートである。
【図１０】カラオケ装置において、カラオケ曲及びライブ曲を再生する際の動作を説明するためのフローチャートである。
【図１１】カラオケシステムにおける演奏曲のタイムテーブルである。
【図１２】カラオケシステムのライブ曲再生開始時刻変更時の動作を説明するためのフローチャートである。
【図１３】コンサートの進行状況を表すタイムテーブルである。
【符号の説明】
【０１１８】
１−カラオケシステム    ２−インターネット    ３−カラオケ店舗    ４−ルータ    ５−ＬＡＮ    ６−管理装置    ７−カラオケ装置    ８−無線アクセスポイント    ９−無線端末装置    １０−ＣＰＵ    １１−ハードディスク    １２−ＲＡＭ    １３−音源    １４−ミキサ    １５−サウンドシステム    １６−スピーカ    １７−マイクロフォン    １８−Ａ／Ｄコンバータ    ２０−ＭＰＥＧデコーダ    ２２−モニタ    ２３−操作部    ２４−ＬＡＮインタフェース    ５０−ＬＣＤディスプレイ    ６０−ＣＰＵ    ６６−無線ＬＡＮインタフェース    １０１−センタ    １０３−配信サーバ    １０５−ミキサ装置    １２１−操作部    １２２−表示部    １２３−通信部    １２４−記憶部    １２５−計時部    １２６−信号入力部    １２７−制御部    １３１−入力部    １３３−音声ミキサ    １３５−映像ミキサ    １３７−操作部    １３９−出力部    １４１−マイクロフォン    １４３−楽器    １４５−カメラ    Ｌ１−カラオケ曲予約リスト    Ｌ２−ライブ曲予約リスト
【図１】
2008116719.tif 000003
【図２】
2008116719.tif 000004
【図３】
2008116719.tif 000005
【図４】
2008116719.tif 000006
【図５】
2008116719.tif 000007
【図６】
2008116719.tif 000008
【図７】
2008116719.tif 000009
【図８】
2008116719.tif 000010
【図９】
2008116719.tif 000011
【図１０】
2008116719.tif 000012
【図１１】
2008116719.tif 000013
【図１２】
2008116719.tif 000014
【図１３】
2008116719.tif 000015